(57)【要約】      （修正有）【課題】扉を開放した時には、冷蔵庫本体より扉に供給する冷気の連通口を閉塞して、冷蔵庫本体内の冷却を続けることで、庫内の温度が一定となるように維持して霜の付着を防止し、生鮮食料品の鮮度を保持する。【解決手段】外周側に断熱材が内蔵され内面側の上下、左右、背面に冷気通路１１ｂ、１２ｂ、１３ｂが形成された冷蔵庫本体１と、上下の冷気通路の冷気通路口１２ｃ、１２ｄに回動自在に設けられた遮蔽板１０とより構成し、扉３が開放されると遮蔽板１０が冷気通路口を閉塞し、送風機４によって供給される冷気は冷蔵庫本体内の冷気通路内のみで循環することを特徴とする。【選択図】図４
2010236746.tif 000002
【特許請求の範囲】
【請求項１】
外周側に断熱材が内蔵され内面側の上下、左右、背面に冷気通路が形成された冷蔵庫本体と、
前記背面における前記冷気通路内に内蔵された冷却器と、
該冷却器により冷却された空気を前記冷気通路内を循環させる送風機と、
前記冷蔵庫本体における前記上下の冷気通路と連通する冷気通路が裏面側に形成された外周側に断熱材が内蔵された扉と、
前記冷蔵庫本体における前記上下の冷気通路の冷気通路口に回動自在に設けられた遮蔽板とより構成し、
前記扉が開放されると前記遮蔽板が前記冷気通路口を閉塞し、前記送風機によって供給される冷気は前記冷蔵庫本体内の前記冷気通路内のみで循環することを特徴とする冷気循環式冷蔵庫。
【請求項２】
前記冷蔵庫本体内の冷却器が設置された内壁面に空間を介して熱伝導率の高いアルミ等の金属板を配置し、冷蔵庫本体内の内壁面から放射される冷気の温度が一定となるようにしたことを特徴とする請求項１記載の冷気循環式冷蔵庫。
【請求項３】
前記送風機によって前記左右の冷気通路に供給される冷気量を可変するための風量調整板を前記冷蔵庫本体の上部冷気通路内に取付け、冷蔵庫本体における左右面の冷気温度を可変できるようにしたことを特徴とする請求項１記載の冷気循環式冷蔵庫。
【請求項４】
前記冷蔵庫本体の冷気通路口、前記扉の冷気通路口の少なくとも何れかに前記冷気通路口の外周を囲むパッキン材を取付け、前記扉を閉じた状態において冷蔵庫本体の冷気通路口と扉の冷気通路口との対向面からの冷気の漏れを防止したことを特徴とする請求項１記載の冷気循環式冷蔵庫。
【請求項５】
前記遮蔽板は回動自在に取付けられ、また、前記扉の裏面上下に突起を取付け、前記扉の開放時には前記遮蔽板によって前記冷気通路口を閉塞し、前記扉を閉じた時には前記突起によって前記遮蔽板を回動させて前記冷気通路口を開放して前記上下の冷気通路と前記扉の冷気通路とを連通するようにしたことを特徴とする請求項１記載の冷気循環式冷蔵庫。
【請求項６】
前記扉の開閉によってオン・オフするスイッチを取付け、また、前記扉内部に前記スイッチと接続された電磁石を取付け、前記扉の開閉によって前記スイッチがオン・オフすることで前記電磁石への通電・遮断が行われるように構成し、前記扉の開放時には前記電磁石の鉄心を吸引状態となし前記遮蔽板によって前記冷気通路口を閉塞させ、前記扉を閉じた時には電磁石の鉄心を突出させ、前記遮蔽板を回動して前記冷気通路口を開放し前記上下の冷気通路口と前記扉の冷気通路口とを連通するようにしたことを特徴とする請求項１記載の冷気循環式冷蔵庫。
【請求項７】
前記遮蔽板に前記上下の冷気通路口を閉じる方向にバネ付勢するバネ部材を取付けたことを特徴とする請求項５または６記載の冷気循環式冷蔵庫。
【発明の詳細な説明】
【技術分野】
【０００１】
本発明は、冷蔵庫の背面、左右側面、上下面からなる冷蔵庫本体と、該冷蔵庫本体の開口部を閉じる扉内にも冷気を強制的に循環させ、冷蔵庫本体内に収納された生鮮食品に冷風を与えることなく冷却する冷気循環式冷蔵庫に関する。
【背景技術】
【０００２】
生鮮食品の切断、ぶつ切り、薄切り等の一次工程後、冷蔵庫にて冷却保管した場合、急速に鮮度劣化が始まり、新鮮な状態で二次工程まで長時間維持することが困難であった。すなわち、従来の冷蔵庫は冷風を庫内に供給するものであるため、食品を収納した状態において冷蔵庫本体内部の上下、左右、奥側、手前ドア側で温度ムラが発生し庫内温度分布が均一でなく、また、低温保管のため乾燥が激しく変色や目減りが発生し、さらに、指定温度まで達するのに時間が掛かった。
【０００３】
特に、生鮮食品が食肉の場合に保存温度が０℃以上になると、自己消化酵素により蛋白質は分解アミノ酸により腐敗が開始され、また、酸素による酸化によって細菌が増加して腐敗が進むという問題があった。
【０００４】
ところで、庫内に冷風を供給せずに食品を冷却する冷蔵庫としては、特開２００４−２２５９３８号公報に開示された発明がある。この発明は、庫内の上下、左右、背面にダクトを形成すると共に扉の裏面にもダクトを形成し、かつ、前記上下、左右のダクトと扉の裏側ダクトと接する部分に連通口を形成すると共に該連通口にブロワーを形成した構造となっている。
【０００５】
そして、扉を閉じた状態においては、前記ブロワーを駆動して冷気を庫内のダクトおよび扉のダクト内に供給して庫内に冷風を送ることなく庫内を冷却し、また、扉を開放した状態においては、庫内の上部ダクトより排出される下向きの冷気はエアーカーテンとしての作用で扉開放時の庫内の温度上昇を防ぐという作用を行うものである。
【先行技術文献】
【特許文献】
【０００６】
【特許文献１】特開２００４−２２５９３８号公報
【発明の概要】
【発明が解決しようとする課題】
【０００７】
ところで、前記した特許文献１にあっては、エアーカーテンを作るように冷蔵庫本体の上方から下方に向かって冷気が排出される構造となっているために、扉に形成されたダクトの上方と下方に連通口が形成されている。この構造からして、扉を閉じた時に冷蔵庫本体の連通口と扉に形成されたダクトの連通口との間に僅かながらでも隙間がないと、扉の開閉が行えないことになる。
【０００８】
そのために、扉を閉めた状態において、冷蔵庫本体の連通口部と扉に形成されたダクトの連通口部との間に隙間が生じ、その隙間から湿気を持った冷気が庫内に流れ込み、その結果、流れ込んだ冷気が内蔵されている生鮮食品にあたり、生鮮食品、特に、精肉の場合には鮮度劣化が著しく、また、収容食品の変色や変質が生じるといった問題があった。
【０００９】
本発明は前記した問題点を解決せんとするもので、その目的とするところは、扉を開放した時には冷蔵庫本体より扉に供給する冷気の連通口を閉塞して冷蔵庫本体内の冷却を続けることで、庫内の温度が一定となるように維持して霜の付着を防止し、生鮮食料品の鮮度を保持するようにした冷気循環式冷蔵庫を提供せんとするにある。
【課題を解決するための手段】
【００１０】
本発明の冷気循環式冷蔵庫は前記した目的を達成せんとするもので、請求項１の手段は、外周側に断熱材が内蔵され内面側の上下、左右、背面に冷気通路が形成された冷蔵庫本体と、前記背面における前記冷気通路内に内蔵された冷却器と、該冷却器により冷却された空気を前記冷気通路内を循環させる送風機と、前記冷蔵庫本体における前記上下の冷気通路と連通する冷気通路が裏面側に形成された外周側に断熱材が内蔵された扉と、前記冷蔵庫本体における前記上下の冷気通路の冷気通路口に回動自在に設けられた遮蔽板とより構成し、前記扉が開放されると前記遮蔽板が前記冷気通路口を閉塞し、前記送風機によって供給される冷気は前記冷蔵庫本体内の前記冷気通路内のみで循環することを特徴とする。
【００１１】
請求項２の手段は、前記した請求項１において、前記冷蔵庫本体内の冷却器が設置された内壁面に空間を介して熱伝導率の高いアルミ等の金属板を配置し、冷蔵庫本体内の内壁面から放射される冷気の温度が一定となるようにしたことを特徴とする。
【００１２】
請求項３の手段は、前記した請求項１において、前記送風機によって前記左右の冷気通路に供給される冷気量を可変するための風量調整板を前記冷蔵庫本体の上部冷気通路内に取付け、冷蔵庫本体における左右面の冷気温度を可変できるようにしたことを特徴とする。
【００１３】
請求項４の手段は、前記した請求項１において、前記冷蔵庫本体の冷気通路口、前記扉の冷気通路口の少なくとも何れかに前記冷気通路口の外周を囲むパッキン材を取付け、前記扉を閉じた状態において冷蔵庫本体の冷気通路口と扉の冷気通路口との対向面からの冷気の漏れを防止したことを特徴とする。
【００１４】
請求項５の手段は、前記した請求項１において、前記遮蔽板は回動自在に取付けられ、また、前記扉の裏面上下に突起を取付け、前記扉の開放時には前記遮蔽板によって前記冷気通路口を閉塞し、前記扉を閉じた時には前記突起によって前記遮蔽板を回動させて前記冷気通路口を開放して前記上下の冷気通路と前記扉の冷気通路とを連通するようにしたことを特徴とする。
【００１５】
請求項６の手段は、前記した請求項１において、前記扉の開閉によってオン・オフするスイッチを取付け、また、前記扉内部に前記スイッチと接続された電磁石を取付け、前記扉の開閉によって前記スイッチがオン・オフすることで前記電磁石への通電・遮断が行われるように構成し、前記扉の開放時には前記電磁石の鉄心を吸引状態となし前記遮蔽板によって前記冷気通路口を閉塞させ、前記扉を閉じた時には電磁石の鉄心を突出させ、前記遮蔽板を回動して前記冷気通路口を開放し前記上下の冷気通路口と前記扉の冷気通路口とを連通するようにしたことを特徴とする。
【００１６】
請求項７の手段は、前記した請求項５または６において、前記遮蔽板に前記上下の冷気通路口を閉じる方向にバネ付勢するバネ部材を取付けたことを特徴とする。
【発明の効果】
【００１７】
本発明は前記したように、扉が開放されると前記遮蔽板が冷気通路口を閉塞し、送風機によって供給される冷気は冷蔵庫本体内の冷気通路内のみで循環することから、扉を生鮮食品の出し入れ時に開放しても冷蔵庫本体内は無風状態下で壁面から放射される冷気によって一定の低温が保持される。
【００１８】
また、冷蔵庫本体内に設置される冷却器が設置された内壁面に空間を介して熱伝導率の高いアルミ等の金属板を取付けることで、最も冷却される前記内壁面側の温度が前記金属板によって他の内壁面との温度の一致性が図られ、収納されている多数の生鮮食品に温度差が発生せずに均一の温度の下で保存することが可能となる。
【００１９】
さらに、送風機によって左右の冷気通路に供給される冷気量を可変するための風量調整板を冷蔵庫本体の上部冷気通路内に取付けたことにより、奥深い冷蔵庫本体において面積の大きな左右面の冷却放射温度が同じ温度となるように簡単に調整することが可能となり、収納されている多数の生鮮食品に温度差が発生せずに均一の温度の下で保存することが可能となる。
【００２０】
また、冷蔵庫本体の冷気通路口、前記扉の冷気通路口の少なくとも何れかに前記冷気通路口の外周を囲むパッキン材を取付けたことにより、扉を閉じた状態において冷蔵庫本体の冷気通路口と扉の冷気通路口との対向面からの冷気の漏れを防止できるので、冷蔵庫本体内に空気が入ることがなく、従って、湿気を持った冷気が内蔵されている生鮮食品にあたり、生鮮食品が鮮度劣化をおこしたり、乾燥や変色、変質したりするのを防止することができる。
【００２１】
さらにまた、扉を開放した時に冷気通路口を閉じる遮蔽板を、扉の裏面側に取付けられている突起によって扉を閉じた時に前記遮蔽板を開放するようにしたので、扉を閉じた時には冷蔵庫本体側の冷気通路口と扉側の冷気通路口とは確実に連通されるので、冷気が扉の冷気通路を介して冷蔵庫本体の冷気通路に供給されることとなり、冷蔵庫本体内を確実に冷却することが可能となる。
【００２２】
また、扉の開閉によってオン・オフするスイッチを取付け、該スイッチのオン・オフによって通電・遮断される電磁石を扉の内面側に取付け、扉が開放された時のみ電磁石の鉄心が突出して遮蔽板を開放するようにしたので、扉が開放された状態時には電磁石の鉄心が吸引状態となり外部に突出することがなく、従って、扉を開放した状態では鉄心が露出しないので体裁が良いものである。
【００２３】
さらに、遮蔽板に前記上下の冷気通路口を閉じる方向にバネ付勢するバネ部材を取付けることで、扉が開放された状態時には確実に冷気通路口を閉塞するので、冷気通路口から冷気が冷蔵庫本体の外部に流出することがなく、確実に冷蔵庫本体内を冷やして収納されている生鮮食品に悪影響を与えることがない等の効果を有するものである。
【図面の簡単な説明】
【００２４】
【図１】本発明に係る冷気循環式冷蔵庫の斜視図である。
【図２】図１のＡ−Ａ線断面図である。
【図３】図１のＢ−Ｂ線断面図である。
【図４】図１の分解斜視図である。
【図５】（ａ）は扉の内側に設けた突起によって遮蔽板を開放した状態を示す断面図、（ｂ）扉が開いて遮蔽板が冷気通路口を閉じた状態を示す断面図である。
【図６】（ａ）は扉の内側に設けた電磁石によって遮蔽板を開放した状態を示す断面図、（ｂ）扉が開いて遮蔽板が冷気通路口を閉じた状態を示す断面図である。
【図７】（ａ）は図１の上方部分を断面した断面図、（ｂ）は扉の上方部分と冷蔵庫本体の上方部分との関係を示す一部断面斜視図である。
【図８】（ａ）は上部の冷気通路内に流量調整板を設け左右の冷気通路に対して均等に冷気を供給した状態の平面図、（ｂ）は右側の冷気通路に対して左側の冷気通路より多い冷気を供給した状態の平面図である。
【発明を実施するための形態】
【００２５】
以下、本発明に係る冷気循環式冷蔵庫の実施例を図面と共に説明する。
１は冷蔵庫本体を示し、２は冷蔵庫本体１の背面側の冷気通路内に取付けられた冷却器５に冷媒を供給するためのコンプレッサー２１が収容された台部、３は前記冷蔵庫本体の開口部を塞ぐ扉である。なお、３１は扉３を開閉するための把手である。
【００２６】
前記冷蔵庫本体（以下、本体という）１の左右壁１１、上下壁１２および背面壁１３には断熱材１１ａ，１２ａ，１３ａが内蔵されており、また、前記断熱材の内側の上下、左右および背面には冷気通路１１ｂ，１２ｂ，１３ｂが形成され、各冷気通路１１ｂ〜１３ｂは各角部において連通されている。
【００２７】
すなわち、図面を簡素化するために断熱材を省略した図４に示すように、左右壁１１における上下辺部の内側に冷気通路口１１ｃが形成され、また、上下壁１２における左右辺部に冷気通路口１２ｃが形成されているので、左右壁１１と上下壁１２とを組み合わせることにより左右壁の冷気通路１１ｂと上下壁１２の冷気通路１２ｂとは連通される。
【００２８】
また、背面壁１３に形成された冷気通路１３ｂにおける上下端部には冷気通路口１３ｃが開口され、かつ、上下壁１２に形成された冷気通路１２ｂの前後端部にも冷気通路口１２ｄが形成されているので、背面壁１３と上下壁１２とを組み合わせることで、背面壁１３の冷気通路１３ｂと上下壁１２の冷気通路１２ｂとは連通される。なお、扉３と対向する冷気通路口１２ｄは多数の開口を形成した形状となっている。
【００２９】
また、上下壁１２の上側壁の後方には膨室部１２ｅが形成され、この膨室部１２ｅ内にはシロッコファンである送風機４が内蔵されており、背面壁１３の冷気通路口１３ｃとは送風機４が収容されている膨室部１２ｅの下面で接続されている。
【００３０】
前記背面壁１３の冷気通路１３ｂ内には前記コンプレッサー２１に接続された冷却器５が配置されており、該冷却器５によって冷気通路１３ｂ内の空気は低温（例えば、−０．５〜−１℃）に冷却される。
【００３１】
扉３は長手方向の一辺で本体１に開閉自在に取付けられている。また、扉３には断熱材３ａが内蔵され、該断熱材３ａの内側には冷気通路３ｂが形成され、該冷気通路３ｂには扉３を閉じた時に上下壁１２の冷気通路口１２ｄと合致する冷気通路口３ｃが形成されている。
【００３２】
このように構成した冷気循環式冷蔵庫にあっては、扉３を閉じた状態においてコンプレッサー２１を駆動し冷媒を冷却器５に供給すると共に送風機４を回転することで、冷却器５によって冷却された背面壁１３における冷気通路１３ｂ内の冷気は送風機４によって吸引され上下壁１２の上側の冷気通路１２ｂ内に送られる。
【００３３】
前記冷気通路１２ｂに送られた冷気は、左右壁１１の冷気通路１１ｂの上方に送られ、該冷気通路１１ｂ内を送風機４の送風力と吸引力によって下降して背面壁１３の冷気通路１３ｂ内に戻される。
【００３４】
また、前記冷気通路１２ｂに送られた冷気は、上下壁１２の上部壁に形成された冷気通路口１２ｄと扉３の上部側の冷気通路口３ｃとが合致しているので、扉３の冷気通路３ｂ内に送られ送風機４の送風力と吸引力によって下降する。そして、冷気通路３ｂを下降した冷気は、該冷気通路３ｂの下部に形成された冷気通路口３ｃと上下壁１２の下部側の冷気通路口１２ｄとが合致しているので、送風機４の送風力と吸引力によって冷気通路１２ｂを介して背面壁１３の冷気通路１３ｂ内に戻される。
【００３５】
従って、背面壁１３の冷気通路１３ｂよりの冷気は、上下壁１２の上部側の冷気通路１２ｂから左右壁１１の冷気通路１１ｂおよび扉３の冷気通路３ｂから上下壁１２の下部側の冷気通路１２ｂを介して背面壁１３の冷気通路１３ｂに戻って循環することから、本体１の内部は上下、左右、前後から冷却されることになるので、外気と遮断された状態で生鮮食品を所定の温度で保存することが可能となる。
【００３６】
なお、図２、図３において、６は本体１の左右壁１１の内面に固定されたトレー受けレールにして、生鮮食品、例えば、薄切りした食肉をパック詰めした発泡トレー（図示せず）の複数個を並べた大型トレー７を出し入れ自由に保管するためのものである。
【００３７】
ところで、前記した冷気循環式冷蔵庫において、稼働中、すなわち、冷却時に扉３を開放すると、上下壁１２における上部側の冷却通路１２ｂより冷却通路口１２ｄを介して冷風が外部に排出され、一方、下部側の冷却通路口１２ｄより外気を吸引することになるので、前記した冷気循環は行われなくなって庫内の温度が上昇することになる。
【００３８】
そこで、本発明にあっては、図５に示すように上下壁１２における上下側の冷気通路１２ｂの冷気通路口１２ｄに遮蔽板８を開閉自在に取付ける。そして、扉３が開放された時に遮蔽板８が自重や巻きバネ８１によって通気通路口１２ｄを閉塞するようにすることで、上部側の冷気通路口１２ｄより冷気が放射されることがない。
【００３９】
また、下部側の冷気通路口１２ｄにおいては外気を吸引することがなくなり、背面壁１３で冷却された冷気は上下壁１２の上部側の冷気通路１２ｂから左右壁１１の冷気通路１１ｂに流れ、そして、上下壁１２の下部側の冷気通路１２ｂを介して背面壁１３の冷気通路１３ｂに戻って循環することとなり、従って、扉３が開放されても庫内の冷却は継続して行われる。
【００４０】
また、扉３を閉じた時に前記遮蔽板８を開放して扉３の冷却通路３ｂと上下壁１２の冷却通路１２ｂとを連通させる必要がある。そこで、扉３を閉じた時に遮蔽板８を閉じる手段として、図５に示すように扉３の冷気通路３ｂの上下に形成された冷気通路口３ｃより常時突出する突起３２を取付ける。
【００４１】
このように構成することで、扉３を閉じると突起３２が上下壁１２の冷却通路口１２ｄ内に入り込み自重あるいは巻きバネ８１によって閉じられている遮蔽板８を押すので、遮蔽板８は冷却通路１１ｂの内壁面に当接した状態となって冷却通路口１２ｄが開放され、従って、該冷却通路口１２ｄと扉３の冷却通路口３ｃとは連通され、背面壁１３の冷気通路１３ｂよりの冷気は前記した作用によって扉３の冷却通路３ｂを含めて本体１の全冷却通路内を循環することとなる。
【００４２】
なお、図５に示した扉３を閉じたときに遮蔽板８を開放する手段として扉３側に固定した突起３２によって行う場合を示したが、突起３２が常時扉３の裏面から突出しているので、扉３を開放した時に衣服に引っ掛かったりする可能性もある。
【００４３】
そこで、図６に示す電磁石９を前記突起３２を取付けた部分に内蔵する。そして、この電磁石９の構造としては電磁コイル９１に通電した時に該励磁コイル９１より鉄心９２が突出する構造のものを使用する。
【００４４】
また、本体１側の開口部に扉３を閉じることでオンとなるスイッチ（図示せず）を内蔵する。そして、該スイッチと電源との間に前記電磁石９の励磁コイル９１を接続する。
【００４５】
このように構成することで、扉３を閉じた状態でスイッチがオフであると鉄心９２は電磁石９の内部に内蔵されているスプリング（図示せず）によって励磁コイル９１より突出しているので、鉄心９２は遮蔽板８を押して開放状態となる。そして、扉３を開放するとスイッチがオンとなるので、励磁コイル９１に通電され前記スプリングのバネ力に抗して鉄心９２が吸引され、従って、扉の開放時に鉄心９２が突出していなことから、前記した常時突出している突起３２のような不都合が生じることはない。
【００４６】
図７は、前記した上下壁１２の冷気通路１２ｂにおける冷気通路口１２ｄと、扉３の冷気通路３ｂにおける冷気通路口１２ｃの当接面との間より冷気が本体１の庫内に漏れて生鮮食品にあたり、生鮮食品が劣化したり、変色や変質したりするのを防止するために、上下壁１２の冷気通路口１２ｄの外周部にパッキン１２ｆを突出状態で取付けたものである。
【００４７】
このように、パッキン１２ｆを設けることで、扉３を閉じた状態において、扉３の冷気通路口３ｃの外周部と上下壁１２の冷気通路口１２ｄとの外周部とがパッキン１２ｆで密着状態となるので、冷気が循環時に庫内に漏れ出ることがないので、生鮮食品が劣化したり、変色や変質したりするのを防止できる。なお、前記パッキン１２ｆは扉３の冷気通路口３ｃの外周部に取付けてもよいことは勿論のことである。また、３ｄは扉３と本体１の開口部との密着を行うための公知のパッキンである。
【００４８】
本体１内に収納される生鮮食品に対して平均に冷却する必要がある。すなわち、面積の大きな背面壁１３の内面と、左右壁１１の内面とに温度差が発生すると収容されている生鮮食品の冷却温度がバラついて一部では凍結したり、所定の低温度にならず変色したり変質したりする可能性がある。
【００４９】
そこで、本発明にあっては、図３、図４に示すような構成とした。すなわち、背面壁１３の冷気通路１３ｂ内には冷却器が内蔵されていることから、他の内面壁より温度が低い状態となるので、背面壁１３の内面壁（冷気通路を構成する内面側の板）と空間を介してアルミ板等の比較的熱伝導率の高い材料の金属板１３ｄを取付ける。
【００５０】
このような構成とすることで、前記内面壁と金属板１３ｄとの間に空気層が介在することから金属板１３ｄの放射冷却温度が緩和されて、他の内壁面との温度差が発生しなくなり生鮮食品を均一な温度で冷却することができるので、前記した問題を解決することができる。
【００５１】
また、前記した送風機４から上下壁１２の上部側冷気通路１２ｂに送られた冷気は左右壁１１の冷気通路１１ｂに供給されるが、左右の冷気通路１１ｂに供給される冷気が均等に供給されないことがある。冷気が均等に供給されないと左右壁１１の内面の温度に差が生じ、前記したと同様に収納されている生鮮食品に悪影響を与えることとなる。
【００５２】
そこで、本発明にあっては、図４、図８に示すような構成とした。すなわち、上下壁１２における上部側の冷気通路１２ｂ内に、上部側の壁面の内面（庫内）から操作摘み１０ａで回動可能な風量調整板１０を内蔵した。
【００５３】
このような構成とすることで、図８（ａ）に示すように送風機４よりの冷気と平行となるように風量調整板１０を調整してある場合には、左右壁１１の冷気流路１１ｂに流れ込む冷気量は同じとなり、原則的には左右壁１１の内面壁に温度差に違いは生じないものと思われる。
【００５４】
しかし、何らかの原因によって送風機４より送られる冷気が左右方向に均等に送られないことが生じた場合、すなわち、図において上側の左右壁１１の内面壁の温度が低く、下側の内面壁の温度が高いような場合には、図８（ｂ）に示すように、操作摘み１０ａを扉３を開放して本体１内から操作して図示において時計方向に回動することで、上側の冷気通路１１ｂ内に送られる冷気量を多くすることが可能となる。
【００５５】
一方、下側の冷気通路１１ｂ内に送られる冷気量が少なくなることで、左右壁１１の内面壁の温度の一致が行えるので、簡単に左右の内壁面の温度を同じに調整することができる。
【００５６】
なお、前記した説明では内面積の大きな背面壁１３と、左右壁１１との温度調整を行える場合について説明したが、同じく面積の内面積が大きな扉３への冷気量を調整する場合には、図示していないが、上下壁１２の冷気通路口１２ｄあるいは扉３の冷気通路口３ｃをスライド可能な二重構造とし実質的な冷気通路口の開口面積を調整することで流入冷気量の調節が可能となる。
【符号の説明】
【００５７】
１          冷蔵庫本体
１１        左右壁
１１ａ      断熱材
１１ｂ      冷気通路
１１ｃ      冷気通路口
１２        上下壁
１２ａ      断熱材
１２ｂ      冷気通路
１２ｃ      左右冷気通路口
１２ｄ      前後冷気通路口
１３        背面壁
１３ａ      断熱材
１３ｂ      冷気通路
１３ｃ      冷気通路口
３          扉
３ａ        断熱材
３ｂ        冷気通路
３ｃ        冷気通路口
４          送風機
５          冷却器
１０        遮蔽板
【図１】
2010236746.tif 000003
【図２】
2010236746.tif 000004
【図３】
2010236746.tif 000005
【図４】
2010236746.tif 000006
【図５】
2010236746.tif 000007
【図６】
2010236746.tif 000008
【図７】
2010236746.tif 000009
【図８】
2010236746.tif 000010